(57)【要約】【課題】  バラストタンクの底部に残存する少量の殺滅処理済みのバラスト水を中和した状態で確実に放流することの可能なバラスト水の処理方法を提供する。【解決手段】  まず、バラストタンク１内の殺滅処理後のバラスト水を排水ポンプ３からの排水ライン２に中和剤を添加して活性物質を中和しながら排出する。次に排水ポンプ３で排出しきれずにバラスト水が残存しているバラストタンク１に中和剤を添加して、バラストタンク１に残存するバラスト水中の活性物質を中和し、エジェクタ１１を使用して排出する。【選択図】  図１
2015166200.tif 000002
【特許請求の範囲】
【請求項１】
バラストタンクに貯留されている水生微生物を殺滅処理したバラスト水を中和して放流するバラスト水の処理方法であって、
まず、バラストタンク内の殺滅処理後のバラスト水を中和しながら排水ポンプにより排出し、
該排水ポンプで排出しきれずに前記バラストタンク内に残存するバラスト水に中和剤を添加して中和した後、エジェクタにより吸引して排出する
ことを特徴とするバラスト水の処理方法。
【請求項２】
前記エジェクタによる吸引の圧力差発生用水として、前記バラスト水を排出する船舶所在地の海水、汽水もしくは河川水を使用することを特徴とする請求項１に記載のバラスト水の処理方法。
【発明の詳細な説明】
【技術分野】
【０００１】
本発明は、バラストタンクに貯留された水生微生物を殺滅処理済みのバラスト水を中和して放流するバラスト水の処理方法に関する。特にバラストタンクの底部に残存した少量の殺滅処理済みのバラスト水を中和して放流するバラスト水の処理方法に関する。
【背景技術】
【０００２】
一般に船舶、特に貨物船は、積載貨物などの重量を含めて設計されているため、空荷または積荷が少ない状態の船舶は、プロペラ没水深度の確保、空荷時における安全航行の確保等の必要性から、出港前に港において海水を取水して船舶のバランスを取るが、このバラストとして用いられる水のことを船舶バラスト水とよぶ。この船舶バラスト水は、無積載で出港するとき、その出港地で港の海水などをバラストタンクに積み込む一方、逆に港内で積荷をするときには、船舶バラスト水の排水を行う。
【０００３】
ところで、環境の異なる荷積み港と荷下し港との間を往復する船舶によって船舶バラスト水の注排水が行われると、荷積み港と荷下し港における船舶バラスト水に含まれる微生物の差異により沿岸生態系に悪影響を及ぼすことが懸念されている。そこで、船舶の船舶バラスト水管理に関する国際会議において２００４年２月に船舶の船舶バラスト水及び沈殿物の規制及び管理のための国際条約が採択され、船舶バラスト水の処理が義務付けられることとなった。
【０００４】
船舶バラスト水の処理基準として国際海事機構（ＩＭＯ）が定める基準は、船舶から排出される船舶バラスト水に含まれる５０μｍ以上の生物（主に動物プランクトン）の数が１ｍ３中に１０個未満、１０μｍ以上５０μｍ未満の生物（主に植物プランクトン）の数が１ｍｌ中に１０個未満、コレラ菌の数が１００ｍｌ中に１ｃｆｕ未満、大腸菌の数が１００ｍｌ中に２５０ｃｆｕ未満、腸球菌の数が１００ｍｌ中に１００ｃｆｕ未満となっている。
【０００５】
このようなバラスト水の処理基準を満たすために、船舶バラスト水に次亜塩素酸ナトリウムや次亜塩素酸カルシウムなどの塩素系活性物質などの殺滅剤を添加して、滞留時間を確保することにより微生物等を殺滅する船舶バラスト水の処理方法が提案されている。このバラスト水処理における塩素系活性物質の添加量は、ＩＭＯ基本承認時に設定された最大許容添加量（ＭＡＤ）を指標として決定される。
【０００６】
このように微生物等を殺滅した後のバラスト水は、航海が終了して貨物を搭載するときには排出することになるが、この際にはバラスト水中の塩素系活性物質などの殺滅剤の残留成分が海洋環境の有害物質となるため、ＴＲＯ（残留オキシダント）を測定するなどして、これに応じて適量の中和剤を添加して、活性物質を中和したうえで排出する必要がある。
【０００７】
このようなバラスト水の排出時の中和処理方法としては、排水ポンプでバラスト水を吸い上げて、この排水ポンプと連通した排水ラインの途中でＴＲＯ（残留オキシダント）の測定値に応じた量の中和剤を添加して船外に排出するのが一般的である。
【発明の概要】
【発明が解決しようとする課題】
【０００８】
しかしながら、この従来のバラスト水の中和排出方法では、バラストタンク中のバラスト水の量が少なくなり、排水ポンプが空気を同時に吸引するようになると排水できなくなり、バラストタンクの底部に少量のバラスト水が残存する、という問題点がある。
【０００９】
この残存した少量のバラスト水は、塩素系活性物質が残留しているので、そのまま排出することはできない。そこで、あらかじめバラストタンクに直接中和剤を添加して、バラスト水の全量を中和してやることが考えられるが、バラスト水は非常に量が多く、バラストタンクは非常に大容量である上にバラストタンク中には通常敷居構造を有するので、中和剤を均一に混合することはできず、計算上の必要量よりも非常に大量の中和剤を添加しなければならない、という問題点がある。このように従来は、バラストタンク中のバラスト水の全量を中和して排出する効率のよい処理方法はなかった。
【００１０】
本発明は、かかる課題を解決して、バラストタンクの底部に残存する少量の殺滅処理済みのバラスト水を中和した状態で確実に放流することの可能なバラスト水の処理方法を提供することを目的とする。
【課題を解決するための手段】
【００１１】
上記課題を解決するために、本発明は、バラストタンクに貯留されている水生微生物を殺滅処理したバラスト水を中和して放流するバラスト水の処理方法であって、まず、バラストタンク内の殺滅処理後のバラスト水を中和しながら排水ポンプにより排出し、該排水ポンプで排出しきれずに前記バラストタンク内に残存するバラスト水に中和剤を添加して中和した後、エジェクタにより吸引して排出することを特徴とするバラスト水の処理方法を提供する（発明１）。
【００１２】
かかる発明（発明１）によれば、まず、初めにバラストタンク内の殺滅処理後のバラスト水を排水ポンプを用いて排出する。この排出は、該排水ポンプの排水ラインで中和剤を添加しながら殺滅処理による活性物質を中和しながら行う。そして、バラストタンク内のバラスト水の量が少なくなり、排水ポンプが空気を同時に吸引するようになると排出機能を発揮できなくなり、バラストタンクの底部に少量のバラスト水が残存する。そこで、発明１においては、少量のバラスト水が残存しているバラストタンクに中和剤を添加して殺滅処理による活性物質を中和し、その後エジェクタを使用して排出する。このエジェクタは、排出対象であるバラスト水とは異なる外部環境の水を圧力差発生用水とするものであるので、少量のバラスト水であっても確実に排出することができる。
【００１３】
上記発明（発明１）においては、前記エジェクタによる吸引の圧力差発生用水として、前記バラスト水を排出する船舶所在地の海水、汽水もしくは河川水を使用するのが好ましい（発明２）。
【００１４】
かかる発明（発明２）によれば、これらの水を圧力差発生用水とすることにより、容易に水源を確保して少量のバラスト水であっても確実に排出することができる。
【発明の効果】
【００１５】
本発明のバラスト水の処理方法によれば、まず、初めにバラストタンク内の殺滅処理後のバラスト水を排水ポンプにより排水ラインに中和剤を添加しながら排出する。そして、バラストタンク内のバラスト水の量が少なくなり、排水ポンプが空気を同時に吸引するようになりそれ以上排出できなくなったら、少量のバラスト水が残存しているバラストタンクに中和剤を添加して殺滅処理による活性物質を中和し、その後エジェクタを使用して排出することで、少量のバラスト水であっても確実に排出することができる。これにより、バラストタンク内の殺滅処理済みのバラスト水の全量を中和した状態で外部環境に放流することができ、外部環境に与える影響を最小限に抑制することができる。
【図面の簡単な説明】
【００１６】
【図１】本発明の一実施形態に係るバラスト水の処理方法を概略的に示すフロー図である。
【発明を実施するための形態】
【００１７】
以下、本発明のバラスト水の処理方法について、一実施形態に基づき詳細に説明する。
【００１８】
図１は、本実施形態のバラスト水の処理方法を実施可能なバラスト水処理装置を概略的に示しており、図１において、バラストタンク１には、排水ライン２が接続しており、この排水ライン２の途中には排水ポンプ３が設置されている。また、４は中和剤貯槽であり、この中和剤貯槽４は、供給ポンプ６の下流側で第１の供給管５と第２の供給管８とに分岐した供給管により、それぞれ排水ライン２及びバラストタンク１に接続していて、第１の開閉バルブ７及び第２の開閉バルブ９を切り替えることで排水ライン２及びバラストタンク１にそれぞれ中和剤を供給可能となっている。さらに、バラストタンク１には、サブ排水ライン１０も接続していて、このサブ排水ライン１０は排水ポンプ３の下流側で排水ライン２に合流している。そして、サブ排水ライン１０の途中にはエジェクタ１１が設けられていて、このエジェクタ１１の側部には海水供給ポンプ１３が付設された海水供給管１２が連通していて、エジェクタ１１による吸引の圧力差発生用水として海水を供給可能となっている。
【００１９】
なお、バラストタンク１には、この排出機構とは別に、給水機構としてそれぞれ図示しないバラスト水としての海水の供給機構と、この海水中の微小生物などを殺滅するための塩素系殺菌剤などによる殺滅機構とを備える。さらに、バラストタンク１内には全部残留酸化性物質濃度（ＴＲＯ）計（図示せず）が設置されている。なお、全残留酸化性物質濃度とは、ＴＲＯ（Ｔｏｔａｌ  Ｒｅｓｉｄｕａｌ  Ｏｘｉｄａｎｔｓ）のことであり、塩素系活性物質の添加による酸化性塩素濃度、及びこの酸化性塩素との反応により生じる他の酸化性成分が含まれる。この全残留酸化性物質濃度は、ＤＰＤ吸光度法を用いた市販の高精度ＴＲＯ計を用いて常温にて測定することができる。
【００２０】
上述したようなバラスト水処理装置において、塩素系の殺菌剤（塩素系活性物質）としては、次亜塩素酸ナトリウムなどの次亜塩素酸塩（水溶液）が好ましい。また、ジクロロイソシアヌル酸塩、トリクロロイソシアヌル酸塩などのイソシアヌル酸塩（水溶液）を用いることもできる。
【００２１】
また、中和剤貯槽４に貯留する中和剤としては、亜硫酸ナトリウム、重亜硫酸ナトリウム（亜硫酸水素ナトリウム）、チオ硫酸ナトリウムなどを用いることができる。特にチオ硫酸ナトリウムを用いるのが好ましい。
【００２２】
次に、上述したバラスト水処理装置を用いたバラスト水の処理方法について以下説明する。
【００２３】
バラスト水の取水時には、図示しない海水の供給機構を駆動してバラストタンク１に海水を供給する。このとき、この海水を供給する途中で図示しない殺滅機構から塩素系殺菌剤を注入して、海水中の微小生物などを殺滅する。そして、バラストタンク１内に設けた残留酸化性物質濃度（ＴＲＯ）計（図示せず）により、バラストタンク１内のバラスト水が十分な殺菌性を有するのを確認しておくことで、航海の間の水性微小生物の再増殖やプランクトンの孵化などを防止することができる。
【００２４】
続いて、航海が終了して積荷港に船舶が寄港したら、バラストタンク１内に積荷を搭載するためにバラスト水の排出を行う。このバラスト水の排出の排出は、本実施形態においては、以下のようにして行う。
【００２５】
すなわち、バラスト水排出時には、まず排水ポンプ３を駆動することでバラストタンク１に貯留されたバラスト水Ｗが排水ライン２から外部環境に排出する。この時、バラストタンク１内に設置されたＴＲＯ計（図示せず）によりバラスト水中のＴＲＯ濃度を計測し、この計測結果に基づき必要な中和剤の注入率を算出し、第１の開閉バルブ７は開成し第２の開閉バルブ９を閉鎖した状態で中和剤貯槽４から第１の供給管５を介して中和剤を排水ライン２に供給する。これにより、バラスト水中の残留酸化性物質（活性物質）が消失した状態で排出することができる。
【００２６】
そして、バラストタンク１内のバラスト水の量が少なくなると、排水ポンプ３が空気を同時に吸引するようになるため、バラストタンク１の底部にバラスト水が残存した状態でそれ以上排出できなくなる。そこで、本実施形態においては、排水ポンプ３でバラストタンク１内のバラスト水が排出できなくなったら、排水ポンプ３を停止して、バラストタンク１内に設置されたＴＲＯ計（図示せず）によりバラスト水中のＴＲＯ濃度を計測し、この計測結果に基づき、必要な中和剤の注入量を算出する。続いて、第１の開閉バルブ７を閉鎖し、第２の開閉バルブ９を開成して中和剤貯槽４から第２の供給管８を介して中和剤をバラトトタンク１に供給する。これにより、バラストタンク１内のバラスト水の残留酸化性物質（活性物質）を消失した状態とする。
【００２７】
次に海水供給ポンプ１３を駆動して、圧力差発生用水としてのバラスト水排出水域の海水を、海水供給管１２を介してエジェクタ１１の吸引側に供給する。これによりエジェクタ１１の供給側が負圧となるので、バラストタンク１内に残存するバラスト水Ｗ１が吸引され、サブ排水ライン１０からエジェクタ１１の供給側に流入し、前述した海水と混合されて排出側から吐出され、排水ライン２に合流して排水ライン２から外部環境に排出される。
【００２８】
以上のように、本実施形態においては、初めにバラストタンク１内の殺滅処理後のバラスト水を排水ポンプ３からの排水ライン２に中和剤を添加して活性物質を中和しながら排出する。次に排水ポンプ３で排出しきれずにバラスト水が残存しているバラストタンク１に中和剤を添加して、バラストタンク１に残存するバラスト水中の活性物質を中和し、エジェクタ１１を使用して排出しているので、バラストタンク１内の殺滅処理済みのバラスト水の全量を中和した状態で外部環境に放流することができ、外部環境に与える影響を最小限に抑制することができる。特に、エジェクタ１１による排出時には、バラスト水が残存しているバラストタンク１に中和剤を添加しているので、エジェクタ１１の排出側で海水と混合した後中和剤を添加する場合と比べて、確実に中和した状態で排出することが可能であり、しかも使用する中和剤の量も少なくて済む。
【００２９】
以上、本発明について添付図面を参照して説明してきたが、本発明は前記実施形態に限定されず、種々の変形実施が可能である。例えば、本実施形態においては、殺滅処理手段として、塩素系の殺菌剤（塩素系活性物質）を用いた場合を例に説明してきたが、これに限定されず、過酸化物、オゾン等を用いて殺滅処理を行った場合においても、適当な中和剤を選定して同様に実施することができる。また、エジェクタ１１の圧力差発生用水としての海水を用いたが、これに限らずバラスト水排出水域の汽水、河川水などを用いてもよい。
【実施例】
【００３０】
以下の具体的実施例により本発明をさらに詳細に説明する。
〔実施例１〕
【００３１】
図１に示す装置において、海水（ＴＯＣ：９ｍｇ／Ｌ）をバラスト水として、次亜塩素酸ナトリウムを該バラスト水の中和後の全残留酸化性物質濃度（ＴＲＯ）が、排出時において０．５〜３ｍｇ／Ｌ（ａｓＣｌ２）となるように添加しながらバラストタンク１に注入した。このバラストタンクに注入した海水を所定時間放置した後、排水ポンプ３を駆動して中和剤貯槽４から中和剤としてチオ硫酸ナトリウムを所定の割合で供給して塩素系活性物質を中和しながら排出した。
【００３２】
そして、バラストタンク１内のバラスト水のほとんどを排出したら、排水ポンプ３が空気を同時に吸引するようになり、排出できなくなった。この時点でバラストタンク１の底部にバタスト水が残存しており、全量を排出できていなかった。そこで、排水ポンプ３を停止して、中和剤貯槽４から第２の供給管８を介してチオ硫酸ナトリウムを所定の割合で供給して、バラストタンク１に残存するバラスト水の塩素系活性物質を消失させた。
【００３３】
続いて、海水供給ポンプ１３を駆動して、圧力差発生用水として海水をエジェクタ１１の吸引側に供給し、バラストタンク１内に残存するバラスト水Ｗ１を吸引し、サブ排水ライン１０からエジェクタ１１の供給側に流入し、海水と混合して排出側から吐出したところ、バラストタンク１内のバラスト水のほぼ全量を排出することができた。また、このエジェクタ１１からの排出水は、塩素系活性物質が中和されていた。
〔比較例１〕
【００３４】
実施例１において、排水ポンプ３が空気を同時に吸引するようになったら、バラストタンク１に中和剤貯としてのチオ硫酸ナトリウムを添加せず、同様にエジェクタ１１により排出した。そして、エジェクタ１１の排出側で海水と混合した後の排出水に実施例１と同量のチオ硫酸ナトリウムを添加したところ、バラストタンク１内のバラスト水のほぼ全量を排出することができたが、塩素系活性物質の中和は完全ではなく、残存するバラスト水を確実に中和するには、非常に多量のチオ硫酸ナトリウム（中和剤）が必要であることが確認された。
【産業上の利用可能性】
【００３５】
本発明のバラスト水の処理方法により、排水ポンプで排出しきれなかった残存するバラスト水に中和剤を添加した後、エジェクタを使用して排出することにより、少量のバラスト水であっても確実に中和して排出することができる。これにより、バラストタンク内の殺滅処理済みのバラスト水の全量を中和した状態で外部環境に放流することができ、外部環境に与える影響を最小限に抑制したバラスト水処理を提供することが可能となる。
【符号の説明】
【００３６】
１…バラストタンク
２…排水ライン
３…排水ポンプ
４…中和剤貯槽
５…第１の供給管
６…供給ポンプ
７…第１の開閉バルブ
８…第２の供給管
９…第２の開閉バルブ
１０…サブ排水ライン
１１…エジェクタ
１２…海水供給管
１３…海水供給ポンプ
Ｗ，Ｗ１…バラスト水
【図１】
2015166200.tif 000003